(57)【要約】【課題】  技能を効率的に習得するための装置等を提供する。【解決手段】  技能習得者の技能習得を支援する装置であり、前記技能習得者が模倣するための情報であって、技能保有者の言葉または行動を含む模倣情報を出力する模倣情報出力手段と、前記技能保有者の言葉または行動に対する相手方の反応を、前記模倣情報の進行に合わせて出力する反応出力手段とを備える。  また、技能習得支援装置は、前記技能習得者が前記技能保有者の言葉または行動を模倣している様子を録画する録画手段と、前記相手方の反応を、前記録画内容の進行に合わせて出力する録画内容出力手段とを備える。【選択図】  図４
2014215374.tif 000002
【特許請求の範囲】
【請求項１】
技能習得者の技能習得を支援する装置であり、
前記技能習得者が模倣するための情報であって、技能保有者の言葉または行動を含む模倣情報を出力する模倣情報出力手段と、
前記技能保有者の言葉または行動に対する相手方の反応を、前記模倣情報の進行に合わせて出力する反応出力手段と、
を備えることを特徴とする技能習得支援装置。
【請求項２】
前記技能習得者が前記技能保有者の言葉または行動を模倣している様子を録画する録画手段と、
前記相手方の反応を、前記録画内容の進行に合わせて出力する録画内容出力手段と、
を備えることを特徴とする請求項１記載の技能習得支援装置。
【請求項３】
前記技能習得者に対し、前記技能習得者が自ら考えた言葉を発すること、または前記技能習得者が自ら考えた行動を起こすことを要求する自発行動要求手段を備えることを特徴とする請求項１又は２記載の技能習得支援装置。
【請求項４】
前記相手方の特定の状況を指定する状況指定手段を備えることを特徴とする請求項３記載の技能習得支援装置。
【請求項５】
前記技能習得者に対し、前記技能習得者が自ら話すべき言葉を考える時間、または前記技能習得者が自ら起こすべき行動を考える時間を与えるための思考時間付与手段を備えることを特徴とする請求項１乃至４記載の技能習得支援装置。
【請求項６】
前記技能保有者の言葉または行動は、前記技能保有者の言葉または行動を出力するタイミングを示す出力タイミングに基づいて出力されることを特徴とする請求項１記載の技能習得支援装置。
【請求項７】
模倣情報出力手段が、技能習得者が模倣するための情報であって、技能保有者の言葉または行動を含む模倣情報を出力するステップと、
反応出力手段が、技能保有者の言葉または行動に対する相手方の反応を、前記模倣情報の進行に合わせて出力するステップと、
を有することを特徴とする技能習得支援方法。
【請求項８】
コンピュータを、
技能習得者が模倣するための情報であって、技能保有者の言葉または行動を含む模倣情報を出力する模倣情報出力手段、
前記技能保有者の言葉または行動に対する相手方の反応を、前記模倣情報の進行に合わせて出力する反応出力手段、
として機能させることを特徴とする技能習得支援プログラム。
【発明の詳細な説明】
【技術分野】
【０００１】
本発明は、技能を効率的に習得するための装置・プログラム・方法に関するものである。
【背景技術】
【０００２】
近年、学校教育の現場において、団塊の世代の退職により、経験の浅い教員が大量に誕生し、授業の質の低下が懸念されている。
これに対し、教員は、各種研究書や研修セミナー等を利用して勉強したり、優秀な教員の授業を見学してそれを参考にするなどして、様々な知識を習得しようと努力している。
また、研修を支援するための装置（特許文献１）なども提案されており、このような装置を利用することにより、より多くの知識を得ることが可能になっている。
【先行技術文献】
【特許文献】
【０００３】
【特許文献１】特開２０１０−１４５９１５号公報
【発明の概要】
【発明が解決しようとする課題】
【０００４】
前述のように、教員は様々な方法により多くの知識を習得しようと努力している。
しかし、従来のやり方では、必要な知識を得ることはできても、その知識を生かすための技能を学ぶことができない、という問題があった。即ち、上質な授業は、知識を得るだけでは不十分であり、その知識を生かすための技能があって初めて行うことができるものであり、従来の方法ではその技能を習得することは極めて難しいという問題があった。
【０００５】
本発明は、このような課題を解決するためものであり、これまで難しいとされてきた技能の習得を容易にする装置等を提供することを目的とする。
【課題を解決するための手段】
【０００６】
本発明では、上記問題を解決するため、技能習得者の技能習得を支援する装置であり、前記技能習得者が模倣するための情報であって、技能保有者の言葉または行動を含む模倣情報を出力する模倣情報出力手段と、前記技能保有者の言葉または行動に対する相手方の反応を、前記模倣情報の進行に合わせて出力する反応出力手段とを備えることを特徴とする技能習得支援装置が提供される。
【０００７】
また、本発明では、上記問題を解決するため、模倣情報出力手段が、技能習得者が模倣するための情報であって、技能保有者の言葉または行動を含む模倣情報を出力するステップと、反応出力手段が、技能保有者の言葉または行動に対する相手方の反応を、前記模倣情報の進行に合わせて出力するステップとを有することを特徴とする技能習得支援方法が提供される。
【０００８】
更に、本発明では、上記問題を解決するため、コンピュータを、技能習得者が模倣するための情報であって、技能保有者の言葉または行動を含む模倣情報を出力する模倣情報出力手段、前記技能保有者の言葉または行動に対する相手方の反応を、前記模倣情報の進行に合わせて出力する反応出力手段として機能させることを特徴とする技能習得支援プログラムが提供される。
【発明の効果】
【０００９】
本発明を利用すれば、これまで難しいとされてきた技能の習得を容易にすることができる。即ち、本発明は、習得者がただ単に知識を得るだけではなく（知識のインプットをするだけではなく）、習得者が技能保有者の模倣をするので（実際に言葉や行動をアウトプットするので）、効率的に技能を習得することができる。
【図面の簡単な説明】
【００１０】
【図１】本発明の実施形態に係るハードウェア構成の一例を表す図である。
【図２】各装置の機能構成図の一例を表す図である。
【図３】本実施形態で使用されるデータの一例を表す図である。
【図４】第一の表示例を表す図である。
【図５】第二の表示例を表す図である。
【図６】第三の表示例を表す図である。
【図７】第四の表示例を表す図である。
【図８】第五の表示例を表す図である。
【図９】第六の表示例を表す図である。
【図１０】模倣動画処理に関する処理フローを表す図である。
【図１１】模倣動画の再生に関する処理フローを表す図である。
【図１２】習得者動画に関する処理フローを表す図である。
【発明を実施するための形態】
【００１１】
まず、本発明の概要を説明する。
本発明は、一定の技能を習得したい技能習得者（例えば、若手の教員）が、優秀な技能を保有している技能保有者（例えば、ベテラン教員）の技能を模倣をすることにより、所望の技能を習得するためのものである。
【００１２】
本発明は、例えば以下のような手順で実現される。
（１）若手教員は、手持ちのタブレットＰＣ等に模倣情報を表示させる。この模倣情報には、ベテラン教員が授業で話した言葉を文字データにしたものや、ベテラン教員の言動に反応する生徒の様子を録画した動画が含まれる。
（２）若手教員は、ベテラン教員の言葉（文字データ）を観ながら、それと同じ言葉を話す。例えば、ベテラン教員の言葉「おはよう！（文字データ）」を観て、これと同じく「おはよう！」を実際に口に出して話す。これにより若手教員はベテラン教員の授業を疑似体験することができ、ベテラン教員の技能を効率的に習得できるのである。
また、ベテラン教員の言葉に反応する生徒の様子を再生するので、より臨場感のある疑似体験ができる。
（３）タブレットＰＣには動画撮影可能なカメラが備えられており、若手教員が疑似体験している様子を録画する。若手教員は、疑似体験終了後、録画した内容を再生する。これにより、若手教員は良かった点・悪かった点等を確認・復習することができる。
本発明の概要は以上である。
【００１３】
本発明の実施形態を図に基づいて説明する。
図１は、本発明の一実施形態を示したシステム構成図（ハードウェア構成図）である。
このシステムは、前述の模倣情報（ベテラン教員の言葉やそれに反応する生徒の様子を納めた動画）等の管理を行うサーバー１と、技能習得者が利用する習得者端末２とからなる。
【００１４】
サーバー１は、情報の入出力を行う入出力部、情報の処理を行う処理部等を備えたコンピュータである（図示せず）。また、サーバー１は、情報の記憶を行う記憶部１４と接続され、情報の記憶・取得を行う。
習得者端末２は、情報の入出力を行う入出力部、情報の処理を行う処理部、情報の記憶を行う記憶部等を備えたコンピュータである。習得者端末２の例としては、パーソナルコンピュータ、タブレットＰＣ、スマートフォン、携帯電話等が挙げられる。
なお、本実施形態では、習得者端末２としてタブレットＰＣを用いるものとする。このタブレットＰＣには、情報の表示と情報の入力双方の機能を併せ持つタッチパネル式の表示部３（入力部２６）、動画撮影が可能なカメラ４とが備えられている。
【００１５】
サーバー１及び習得者端末２の記憶部には、本発明を実現するためのコンピュータプログラムや所定のデータが記憶されており、処理部はこのコンピュータプログラムの処理命令に従って所定の処理を行う。サーバー１と習得者端末２はインターネット８等の通信手段により情報の送受信が可能となっている。
【００１６】
図２は、本発明の一実施形態を示した機能構成図である。
サーバー１は、模倣動画取得部１１、習得者動画記憶部１２，習得者動画取得部１３を備える。また、模倣動画取得部１１、習得者動画記憶部１２、習得者動画取得部１３は、情報を記憶する記憶部１４と接続されている。
【００１７】
模倣動画取得部１１は、習得者端末２に備えられている模倣動画要求部２１から模倣動画要求を受け付け、記憶部１４にアクセスして所定の模倣動画を抽出・取得し、それを習得者端末２に送信する。
習得者動画記憶部１２は、習得者端末２に備えられている習得者動画録画部２３から習得者動画（習得者が疑似体験している様子を写した動画）を受け付け、記憶部１４にアクセスしてそれを記憶部１４に記憶する。
習得者動画取得部１３は、習得者端末２に備えられている習得者動画要求部２４から習得者動画要求を受け付け、記憶部１４にアクセスして所定の習得者動画を抽出・取得し、それを習得者端末２に送信する。
【００１８】
習得者端末２は、模倣動画要求部２１、模倣動画再生部２２、習得者動画録画部２３、習得者動画要求部２４，習得者動画再生部２５を備える。また、模倣動画要求部２１、模倣動画再生部２２、習得者動画録画部２３、習得者動画要求部２４，習得者動画再生部２５は、情報を入力する入力部２６と接続されている。
【００１９】
模倣動画要求部２１は、所定の模倣動画の要求命令を入力部２６から受け付け、それをサーバー１に送信する。
模倣動画再生部２２は、サーバー１に備えられている模倣動画取得部１１から模倣動画を受信し、それを再生する。
習得者動画録画部２３は、模倣動画再生部２２が模倣動画の再生を開始したことを検知し、習得者が疑似体験している様子（習得者動画）の撮影を開始する。習得者動画録画部２３は、撮影が終了したら、撮影した動画をサーバー１に送信する。
習得者動画要求部２４は、所定の習得者動画の要求命令を入力部２６から受け付け、それをサーバー１に送信する。
習得者動画再生部２５は、サーバー１に備えられている習得者動画取得部１３から習得者動画を受信し、それを再生する。
【００２０】
次に、記憶部１４に記憶されているデータについて説明する。
図３（ａ）は、本実施形態で使用される模倣動画管理データの構成図を表したものである。
このデータは、授業ＩＤに各種データが関連づけられているものである。具体的には、授業ＩＤ（ここでは「Ａ００１」とする）に、授業名称（例えば「Ａ教員の国語」など）、生徒動画（Ａ教員の授業を受けている生徒の様子を録画した動画）、ジェスチャー動画（Ａ教員が授業を行っている姿を撮影したものであり、Ａ教員の身振り手振りなどのジェスチャーを収めた動画）が関連づけられている。
また、授業ＩＤには、表示テキスト（Ａ教員が授業中に話した言葉を文字データにしたもの）、出力タイミングとしての表示時間（動画再生してから何分何秒後にその文字データを表示するかを特定するもの）とが関連づけられている。
更に、授業ＩＤには、コメント（技能習得者に対するコメント）、強制停止時間（動画再生してから何分何秒後に強制的に動画再生を停止するかを特定するもの）とが関連づけられている。
【００２１】
図３（ｂ）は、本実施形態で使用される習得者動画管理データの構成図を表したものである。
授業ＩＤには、習得者のＩＤと、技能習得者の習得者動画（疑似体験をしている様子を録画した動画）が関連づけられている。
【００２２】
図４〜図８は、本実施形態においてタブレットＰＣの表示部３に表示される表示例及び技能習得者の言動の様子を表したものである。
図４は、本実施形態の基本となる表示例（第一の表示例）である。表示部３には、表示テキスト（Ａ教員が授業中に話した言葉を文字データにしたもの）と、生徒動画（Ａ教員の授業を受けている生徒の様子を録画した動画）とが表示されている。
図４は、Ａ教員（技能保有者であるベテランの教員）が授業において「なるほど。それも１つの考えだね」と言ったので、その言葉が文字データとして表示部３に表示され、それを観た技能習得者が同じ言葉「なるほど。それも１つの考えだね」を実際に口に出して話している様子を表したものである。
【００２３】
これは例えば、間違った発言をした生徒に対する対処法（技能）を習得する場合に役立つ。即ち、技能習得者である若手教員は経験が少ないので、普段であれば間違った発言をした生徒に対し「それは違う！」と言って生徒を否定してしまうところであるが、ここではＡ教員（技能保有者であるベテラン教員）の言葉「なるほど。それも１つの考えだね（生徒の意見を尊重する言葉）」を模倣するので、若手教員は間違った発言をした生徒に対する対処法（技能）を身につけることができる。
【００２４】
図５は、Ａ教員の言葉だけでなく、ジェスチャーをも表示する例（第二の表示例）である。
ここでは表示部３に、表示テキストだけではなくジェスチャー動画も再生する。Ａ教員が両手を広げて「なるほど。それも１つの考えだね」を話した場合、技能習得者もそれに合わせて両手を広げ「なるほど。それも１つの考えだね」を話す。技能習得者は、技能保有者の言葉と身振り手振り双方を模倣することにより、より臨場感のある疑似体験ができ、技能をより効率的に習得することができる。
【００２５】
図６は、習得者動画（技能習得者が疑似体験をしている様子を録画した動画）を再生している場面を表す表示例（第三の表示例）である。表示部３には、技能習得者が疑似体験をしている様子と、Ａ教員の授業を受けている生徒の動画が表示される。これにより、技能習得者は自分の話し方の良い点・悪い点などを確認できる。また、生徒の反応（ベテラン教員の言動に対する生徒の反応）も疑似体験することができる。
【００２６】
図７は、技能習得者が授業で発するべき言葉を、技能習得者自らが考える場面を表す表示例（第四の表示例）である。例えば、図３に示す模倣動画管理データでは、強制停止時間「動画開始から２０分４５秒」となっているので、その時間にＡ教師の授業の再生は強制的に一時停止され、コメント「何を言うべきか、自分で考えて下さい」が表示される（図７（ａ））。この後、技能習得者は自分が言うべき言葉を考え、それを実際に口に出して話す。そしてその後、Ａ教師の授業の再生が再開され、Ａ教師の言葉が表示される（図７（ｂ））。これを行うことにより、技能習得者の考える力が養われる。
【００２７】
図８も図７と同様、技能習得者が授業で発するべき言葉を、技能習得者自らが考える場面を表す表示例（第五の表示例）である。例えば、図３に示す模倣動画管理データでは、強制停止時間「動画開始から３５分１２秒」となっているので、その時間にＡ教師の授業の再生は強制的に一時停止され、コメント「右側の生徒がアクビをしています。どうしますか？」（特定の状況を指定するコメント）が表示される。この後、技能習得者は自分が言うべき言葉を考え、それを実際に口に出して話す。そしてその後、図８（ｂ）のように、Ａ教師の授業の再生が再開され、Ａ教師の言葉が表示される。これを行うことにより、技能習得者の考える力が養われる。
【００２８】
図９も図７と同様、技能習得者が授業で発するべき言葉を、技能習得者自らが考える場面を表す表示例（第六の表示例）である。なお、この表示例では、模倣動画の再生・停止を技能習得者が操作するための「再生ボタン」「停止ボタン」が表示されているものとする。
例えば、技能習得者が、自ら言葉を考えたいと思ったとする。この場合、技能習得者は表示部３の「停止」をクリックする（図９（ａ））。これによりＡ教師の授業の再生は一時停止する。この後、技能習得者は自分が言うべき言葉を考え、それを実際に口に出して話す。そしてその後、技能習得者が表示部３の「再生」をクリックすると、図９（ｂ）のように、Ａ教師の授業の再生が再開され、Ａ教師の言葉が表示される。これを行うことにより、技能習得者の考える力が養われる。
【００２９】
図１０は、本実施形態の模倣動画処理の手順を示すフローチャートである。
ＳＴＥＰ１は、模倣動画の選択処理である。模倣動画要求部２１は、入力部２６から模倣動画と習得者を特定するデータを受け付ける。例えば、模倣動画要求部２１は、「授業ＩＤ：Ａ００１、習得者ＩＤ：Ｓ００１（習得者を特定するＩＤ）」などのデータを入力部２６から受け付ける。
【００３０】
ＳＴＥＰ２は、模倣動画要求の送信処理である。模倣動画要求部２１は、模倣動画要求データを生成し、これをサーバー１に送信する。模倣動画要求データとは、例えば、「授業ＩＤ：Ａ００１、習得者ＩＤ：Ｓ００１」などのデータである。
【００３１】
ＳＴＥＰ３は、模倣動画要求の受信処理である。模倣動画取得部１１は、模倣動画要求データを習得者端末２から受信する。
ＳＴＥＰ４は、模倣動画の抽出処理である。模倣動画取得部１１は、模倣動画要求データに含まれる「授業ＩＤ：Ａ００１」に基づいて図３（ａ）の模倣動画管理データを検索し、「授業ＩＤ：Ａ００１」に合致するレコードを抽出する。
ＳＴＥＰ５は、模倣動画の送信処理である。模倣動画取得部１１は、抽出したレコードに基づいて模倣動画送信データ（例えば、図３（ａ）のようなデータ）を生成し、これを習得者端末２に送信する。
【００３２】
ＳＴＥＰ６は、模倣動画の受信処理である。模倣動画再生部２２は、サーバー１から送信された模倣動画送信データを受信する。
ＳＴＥＰ７は、模倣動画の再生処理である。ＳＴＥＰ７の処理詳細は図１１の通りなので、図１１に基づいてＳＴＥＰ７を説明する。
【００３３】
ＳＴＥＰ７−１は、模倣動画の再生処理である。模倣動画再生部２２は、入力部２６から再生命令を受け付け、模倣動画を再生する。具体的には、生徒動画（Ａ教員の授業を受けている生徒の様子を写した動画）、ジェスチャー動画（Ａ教員のジェスチャー）の再生を開始する。なお、ジェスチャー動画は必ずしも再生する必要はなく、生徒動画のみを再生してもよい。
【００３４】
ＳＴＥＰ７−２は、表示テキストに関する判断処理である。模倣動画再生部２２は、表示テキストの表示時間であるか否かの判断を行う。現在の再生時間（再生開始からの時間）が表示時間と一致する場合は次のＳＴＥＰ７−３に進む。一致しない場合は何も行わず、次のＳＴＥＰ７−４に進む。
【００３５】
ＳＴＥＰ７−３は、表示テキストの表示処理である。模倣動画再生部２２は、動画再生時間と一致した表示時間に関連づけられている表示テキストを表示部３に表示する（即ち、生徒動画に表された生徒の反応に合うように表示テキストを表示する）。例えば、開始から「０分３０秒」の場合は、「おはよう！」を表示部３に表示する（図３（ａ））。
【００３６】
ＳＴＥＰ７−４は、模倣動画再生の強制停止に関する判断処理である。模倣動画再生部２２は、模倣動画再生の強制停止開始時間であるか否かの判断を行う。現在の再生時間（再生開始からの時間）が強制停止開始時間と一致する場合は次のＳＴＥＰ７−５に進む。一致しない場合は何も行わず、ＳＴＥＰ７−７に進む。
【００３７】
ＳＴＥＰ７−５は、模倣動画再生の強制停止（一時停止）に関する処理である。模倣動画再生部２２は、模倣動画再生を強制的に一時停止して、コメントを表示する。例えば、図３（ａ）のように、開始時間「２０分４５秒」であればそれに関連づけられているコメント「何を言うべきか自分で考えて下さい」を、開始時間「３５分１２秒」であればそれに関連づけられているコメント「枠内の生徒がアクビをしています。どうしますか？」を表示する（即ち、技能習得者に対し自発行動を要求する）。
ＳＴＥＰ７−６は、模倣動画再生の強制停止終了に関する判断処理である。模倣動画再生部２２は、模倣動画再生の強制停止終了時間であるか否かの判断を行う。現在の再生時間（再生開始からの時間）が強制停止終了時間と一致する場合は次のＳＴＥＰ７−７に進む。一致しない場合は何も行わず、このＳＴＥＰ７−６の処理を繰り返す。
【００３８】
ＳＴＥＰ７−７は、模倣動画再生の一時停止要求に関する判断処理である。技能習得者が自ら言葉を考えたい場合、技能習得者は表示部３の「停止」をクリック（タップ）する。これにより、模倣動画再生部２２は、入力部２６から一時停止要求を受け付け、次のＳＴＥＰ７−８に進む。一時停止要求がない場合は何も行わず、ＳＴＥＰ７−１０に進む。
【００３９】
ＳＴＥＰ７−８は、模倣動画再生の一時停止に関する処理である。模倣動画再生部２２は、模倣動画再生を一時的に停止する。これにより技能習得者には、自発的に考えるための思考時間が与えられる。
ＳＴＥＰ７−９は、模倣動画再生の一時停止終了に関する判断処理である。技能習得者が自ら言葉を考え、それを実際に口に出して話した後、技能習得者は表示部３の「再生」をクリック（タップ）する。これにより、模倣動画再生部２２は、入力部２６から一時停止解除要求を受け付け、ＳＴＥＰ７−１０に進む。一時停止解除要求がない場合は何も行わず、このＳＴＥＰ７−９を繰り返す。
【００４０】
ＳＴＥＰ７−１０は、模倣動画再生の終了に関する判断処理である。模倣動画再生部２２は、再生時間内であるか否かを判断し、再生終了時間を過ぎた場合は再生を終了し、再生時間内の場合はＳＴＥＰ７−１に戻る。
【００４１】
次に、習得者動画に関する処理を説明する。即ち、技能習得者が技能保有者の授業を模倣している様子を動画として録画し、それを技能習得者が再生して観ることにより、技能習得者の復習に役立てる処理について説明する。
【００４２】
ＳＴＥＰ１１は、習得者動画の録画に関する処理である。習得者動画録画部２３は、模倣動画再生部２２からの模倣動画の再生開始通知を検知し、カメラ４により技能習得者が技能保有者の模倣をしている様子を録画する。また、習得者動画録画部２３は、模倣動画再生部２２からの模倣動画の再生終了通知を検知し録画を終了する。
【００４３】
ＳＴＥＰ１２は、習得者動画の登録に関する処理である。習得者動画録画部２３は、録画した習得者動画を登録するための登録データ（例えば、習得者ＩＤと録画した習得者動画とを関連づけたデータ）を生成し、これをサーバー１に送信する。登録データを受信した習得者動画記憶部１２は、これを記憶部１４に図３（ｂ）のように記憶する。
【００４４】
ＳＴＥＰ１３は、習得者動画の選択処理である。習得者動画要求部２４は、入力部２６から習得者動画と習得者を特定するデータを受け付ける。例えば、習得者動画要求部２４は、「授業ＩＤ：Ａ００１、習得者ＩＤ：Ｓ００１」などのデータを入力部２６から受け付ける。
【００４５】
ＳＴＥＰ１４は、習得者動画要求の送信処理である。習得者動画要求部２４は、習得者動画要求データを生成し、これをサーバー１に送信し、習得者動画取得部１３は、習得者動画要求データを習得者端末２から受信する。なお、習得者動画要求データとは、例えば、「授業ＩＤ：Ａ００１、習得者ＩＤ：Ｓ００１」などのデータである。
【００４６】
ＳＴＥＰ１５は、習得者動画の抽出処理である。習得者動画取得部１３は、習得者動画要求データに含まれる「授業ＩＤ：Ａ００１」に基づいて図３（ｂ）の習得者動画管理データを検索し、「授業ＩＤ：Ａ００１」に合致するレコードを抽出する。
ＳＴＥＰ１６は、習得者動画の送信処理である。習得者動画取得部１３は、抽出したレコードに基づいて習得者動画送信データ（図３（ｂ））を生成し、これを習得者端末２に送信する。
ＳＴＥＰ１７は、習得者動画の再生処理である。習得者動画再生部２５は、サーバー１から送信された習得者動画送信データを受信し、受信した習得者動画を再生する。なお、習得者動画は、生徒動画と共に再生するものであり、生徒動画は習得者動画の進行に合わせて再生されるものとする。
【００４７】
なお、この実施形態は本発明の範囲を限定するものではない。本実施形態で説明した各処理はどの装置で行ってもよい。例えば、２つの装置（サーバー１及び習得者端末２）が行う処理を１つの装置（習得者端末２）で行ってもよい。
また、本実施形態で説明したシステム構成（ハードウェア構成）は一例であり、用途や目的に応じて様々な構成があることは言うまでもない。
更に、上記実施形態では、学校の先生が技能を習得する例を用いて説明したが、本発明はこれに限るものではない。例えば、企業の営業研修、プレゼンテーション研修など、あらゆるケースで利用できるものである。
【００４８】
なお、上記の処理機能は、コンピュータによって実現することができる。その場合、技能習得支援装置が有すべき機能の処理内容を記述した技能習得支援プログラムが提供される。その技能習得支援プログラムをコンピュータで実行することにより、上記処理機能がコンピュータ上で実現される。処理内容を記述した技能習得支援プログラムは、コンピュータで読み取り可能な記録媒体に記録しておくことができる。コンピュータで読み取り可能な記録媒体としては、磁気記録装置、光ディスク、光磁気記録媒体、半導体メモリなどがある。磁気記録装置には、ＨＤＤ、ＦＤ、磁気テープなどがある。光ディスクには、ＤＶＤ（Digital
Versatile Disc）、ＤＶＤ−ＲＡＭ、ＣＤ−ＲＯＭ、ＣＤ−Ｒ（Recordable）／ＲＷ（ReWritable）などがある。光磁気記録装置には、 ＭＯ（Magneto  Optical
disk）などがある。
【００４９】
技能習得支援プログラムを流通させる場合には、たとえば、その技能習得支援プログラムが記録されたＤＶＤ、ＣＤ−ＲＯＭなどの可搬型記録媒体が販売される。また、プログラムをサーバコンピュータの記憶装置に格納しておき、ネットワークを介して、サーバコンピュータから他のコンピュータにその技能習得支援プログラムを転送することもできる。
【００５０】
技能習得支援プログラムを実行するコンピュータは、たとえば、可搬型記録媒体に記録された技能習得支援プログラムもしくはサーバコンピュータから転送された技能習得支援プログラムを、自己の記憶装置に格納する。そして、コンピュータは、自己の記憶装置から技能習得支援プログラムを読み取り、技能習得支援プログラムに従った処理を実行する。
なお、コンピュータは、可搬型記録媒体から直接技能習得支援プログラムを読み取り、その技能習得支援プログラムに従った処理を実行することもできる。また、コンピュータは、サーバコンピュータから技能習得支援プログラムが転送される毎に、逐次、受け取った技能習得支援プログラムに従った処理を実行することもできる。
【００５１】
なお、本発明は、上述の実施の形態にのみ限定されるものではなく、本発明の要旨を逸脱しない範囲内において種々の変更を加えることができる。
【００５２】
上記については単に本発明の原理を示すものである。さらに、多数の変形、変更が当業者にとって可能であり、本発明は上記に示し、説明した正確な構成および 応用例に限定されるものではなく、対応するすべての変形例および均等物は、添付の請求項およびその均等物による本発明の範囲とみなされる。
【符号の説明】
【００５３】
１    サーバー
２    習得者端末
３    表示部
４    カメラ
１１  模倣動画取得部
１２  習得者動画記憶部
１３  習得者動画取得部
１４  記憶部
２１  模倣動画要求部
２２  模倣動画再生部
２３  習得者動画録画部
２４  習得者動画要求部
２５  習得者動画再生部
２６  入力部
【図１】
2014215374.tif 000003
【図２】
2014215374.tif 000004
【図３】
2014215374.tif 000005
【図４】
2014215374.tif 000006
【図５】
2014215374.tif 000007
【図６】
2014215374.tif 000008
【図７】
2014215374.tif 000009
【図８】
2014215374.tif 000010
【図９】
2014215374.tif 000011
【図１０】
2014215374.tif 000012
【図１１】
2014215374.tif 000013
【図１２】
2014215374.tif 000014